【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
所定機能を実行する過程において、設定を行うための複数の画面から、再呼び出しの対象とする第１の画面を指定し、前記第１の画面に第１の名称を付けて登録する第１のステップと、
前記第１の名称が選択されたとき、前記第１の画面に基づいて形成された再表示画面を表示し、前記再表示画面での再設定を促す第２のステップと、
前記所定機能の実行が指示されたとき、前記所定機能を実行する第３のステップと
を有することを特徴とする画像形成方法。
【請求項２】
前記第１のステップでは、前記第１の画面で設定した第１の設定値と、前記第１の画面の第１の画面情報とを有する設定情報に、前記第１の名称を付け、
前記第２のステップでは、前記再表示画面での前記第１の設定値の再設定を促す
ことを特徴とする請求項１記載の画像形成方法。
【請求項３】
前記設定情報には、前記再表示画面を表示し、前記第１の設定値の再設定を促す処理を実行するための表示指令情報が含まれ、前記第１の名称が選択されたとき、前記表示指令情報に基づいて前記第２のステップが実行されることを特徴とする請求項２記載の画像形成方法。
【請求項４】
前記設定情報には、前記再呼び出しの対象としない第２の画面で設定した第２の設定値を含むことを特徴とする請求項２又は３に記載の画像形成方法。
【請求項５】
前記設定情報は、デフォルト値のままの第３の設定値を含むことを特徴とする請求項４記載の画像形成方法。
【請求項６】
前記第１の設定値又は前記第２の設定値が、対応するデフォルト値から変更されている場合、前記所定機能の待機画面において、設定値が変更された設定項目に対応する設定表示部に変更マークを付す第４のステップ
を有することを特徴とする請求項４又は５に記載の画像形成方法。
【請求項７】
前記第１のステップにおいて、前記第１の画面を登録する前に前記設定情報の内容を表示し、ユーザーに確認するステップを有することを特徴とする請求項２から６の何れかに記載の画像形成方法。
【請求項８】
前記再表示画面には、次に表示する表示画面を指定するための操作ボタンと、画面ページが表示されることを特徴とする請求項１から７までの何れかに記載の画像形成方法。
【請求項９】
所定機能を実行する過程において設定を行うための画面であって、再呼び出しの対象とする第１の画面と、再呼び出しの対象としない第２の画面とを表示する表示部と、
前記第１の画面で設定した第１の設定値と、前記第２の画面で設定した第２の設定値と、前記第１の画面の第１の画面情報とを有する設定情報を、第１の名称を付けて記憶する記憶部と、
前記記憶部に記憶されている前記第１の名称を選択する選択部と、
前記表示部、前記記憶部、及び前記選択部における処理を制御する制御部と
を有し、
前記制御部は、前記選択部で前記記憶部に記憶されている前記第１の名称が選択された場合、前記第１の画面に基づいて形成された再表示画面を前記表示部に表示し、前記再表示画面での前記第１の設定値の再設定を促すことを特徴とする画像形成装置。
【請求項１０】
前記設定情報には、前記再表示画面を表示し、前記第１の設定値の再設定を促す処理を実行するための表示指令情報が含まれ、
前記制御部は、前記選択部で前記記憶部に記憶されている前記第１の名称が選択された場合、前記表示指令情報に基づいて処理を実行することを特徴とする請求項９記載の画像形成装置。
【請求項１１】
前記制御部は、前記第１の設定値又は前記第２の設定値が、対応するデフォルト値から変更されている場合、前記所定機能の待機画面において、設定値が変更された設定項目に対応する設定表示部に変更マークを付すことを特徴とする請求項９又は１０に記載の画像形成装置。
【請求項１２】
前記設定情報は、デフォルト値のままの第３の設定値を含むことを特徴とする請求項９から１１までの何れかに記載の画像形成装置。
【請求項１３】
前記所定機能の実行が指示されたとき、前記第１の設定値と前記第２の設定値と前記第３の設定値に基づいて前記所定機能を実行することを特徴とする請求項１２記載の画像形成装置。
【請求項１４】
前記制御部は、前記設定情報の内容を前記表示部に表示することを特徴とする請求項９から１３までの何れかに記載の画像形成装置。
【手続補正２】
【補正対象書類名】明細書
【補正対象項目名】０００５
【補正方法】変更
【補正の内容】
【０００５】
本発明による画像形成方法は、
所定機能を実行する過程において、設定を行うための複数の画面から、再呼び出しの対象とする第１の画面を指定し、前記第１の画面に第１の名称を付けて登録する第１のステップと、前記第１の名称が選択されたとき、前記第１の画面に基づいて形成された再表示画面を表示し、前記再表示画面での再設定を促す第２のステップと、前記所定機能の実行が指示されたとき、前記所定機能を実行する第３のステップと
を有することを特徴とする。
【手続補正３】
【補正対象書類名】明細書
【補正対象項目名】０００６
【補正方法】変更
【補正の内容】
【０００６】
本発明による画像形成装置は、
所定機能を実行する過程において設定を行うための画面であって、再呼び出しの対象とする第１の画面と、再呼び出しの対象としない第２の画面とを表示する表示部と、前記第１の画面で設定した第１の設定値と、前記第２の画面で設定した第２の設定値と、前記第１の画面の第１の画面情報とを有する設定情報を、第１の名称を付けて記憶する記憶部と、前記記憶に記憶されている前記第１の名称を選択する選択部と、前記表示部、前記記憶部、及び前記選択部における処理を制御する制御部とを有し、
前記制御部は、前記選択部で前記記憶部に記憶されている前記第１の名称が選択された場合、前記第１の画面に基づいて形成された再表示画面を前記表示部に表示し、前記再表示画面での前記第１の設定値の再設定を促すことを特徴とする。
【手続補正４】
【補正対象書類名】明細書
【補正対象項目名】００３２
【補正方法】変更
【補正の内容】
【００３２】
インデックスＮｏ．１には、設定情報登録名を「特殊コピー」と名付けた設定情報として、対象とする機能の機能名「コピー」、これに対応する設定項目、及び設定変更フローが関連付けて保存されている。尚、設定変更フローは、ここでは簡単のため模式的に示され、ここで表示された各画面は、図８の（ａ）、（ｂ）、（ｃ）、及び図２８で示される画面の内容となっている。
【手続補正５】
【補正対象書類名】明細書
【補正対象項目名】００６２
【補正方法】変更
【補正の内容】
【００６２】
ステップＳ１１１：表示部１３にコピー待機画面１０１ｂ（図３６）が表示されているとき、「拡大／縮小」ボタン２０１ｆが押下されると、表示制御部１４は、表示部１３に拡大／縮小設定画面１０４（図６（ｃ）参照）を表示させる。
【手続補正６】
【補正対象書類名】明細書
【補正対象項目名】０１２０
【補正方法】変更
【補正の内容】
【０１２０】
ファイル名設定画面（図１８の１０２に相当）において、設定値をデフォルト値（表４参照）の「空白」から入力した任意のファイル名に変更し、表示部１３に表示されているファイル名設定画面を、変更後のファイル名設定画面に更新する。そして、そのファイル名設定画面（図２１の１０２ａに相当）の［ＯＫ］ボタン２０２ｅが押下されると、表示制御部１４は、設定情報記憶部１６からＥ−メール機能の各設定項目のデフォルト設定値を取得して、表示制御部１４で一時的に保持している設定値と比較し、デフォルト値と異なる設定項目を特定し、Ｅ−メール待機画面（図１７の１０１に相当）に対して、特定した設定項目（ファイル名）のボタンに変更マーク２０１ｄを付与したＥ−メール待機画面（図２２の１０１ａに相当）に更新する。